(57)【要約】【課題】酸素供給装置の小型化および軽量化を図ること。【解決手段】酸素供給装置１は、酸素カセット１０ａ〜１０ｄを着脱可能に接続する接続機構２１を有し、複数の酸素カセット１０ａ〜１０ｄを接続機構２１に接続することができる。そのため、酸素供給装置１を、使用者が必要とする時間だけ酸素吸入を行うための最小限の構成とすることができる。したがって、従来の携帯型の酸素供給装置に比べ、酸素供給装置の小型化および軽量化を図ることができる。【選択図】図１
2009106438.tif 000002
【特許請求の範囲】
【請求項１】
吸入用の酸素を供給する酸素供給装置であって、
酸素を封入した酸素カセットが着脱可能に接続され、接続された該酸素カセットから流出する酸素を装置内部に流入させる複数の接続機構と、
前記接続機構を介して流入した酸素の供給経路を構成する酸素配管と、
前記酸素配管における酸素の流入経路を切り換える切り換え手段と、
前記酸素配管における酸素の圧力を変化させる圧力変化手段と、
前記切り換え手段および前記圧力変化手段を制御し、前記酸素配管における酸素の圧力を調整する制御手段と、
前記酸素配管を通して供給された酸素を使用者に送出する酸素の吸入具と、
を備えることを特徴とする酸素供給装置。
【請求項２】
前記酸素配管から分岐して設置され、該酸素配管からの酸素の流入および該酸素配管への酸素の流出を調整する補助圧力変化手段を有する補助タンクを備え、
前記制御手段は、前記補助圧力変化手段をさらに制御して前記酸素配管における酸素の圧力を調整することを特徴とする請求項１記載の酸素供給装置。
【請求項３】
前記酸素カセットには、電力の供給を受けることなく記憶状態が維持される不揮発性メモリが備えられ、
前記接続機構は、前記酸素カセットと接続されることによって、該不揮発性メモリに対して情報の読み出しあるいは書き込みが可能となる接続インターフェースを有することを特徴とする請求項１または２記載の酸素供給装置。
【請求項４】
情報を表示する表示手段をさらに備え、
前記酸素カセットの不揮発性メモリには、該酸素カセットに封入されている酸素量が記憶され、
前記制御手段は、前記接続機構を介して該酸素量を読み出し、送出する酸素濃度と前記酸素量とに基づいて算出した酸素の供給可能時間を前記表示手段に表示することを特徴とする請求項３記載の酸素供給装置。
【請求項５】
前記制御手段は、使用中の前記酸素カセットが接続を解除される際に、該酸素カセットの酸素残量を前記不揮発性メモリに記憶することを特徴とする請求項３または４記載の酸素供給装置。
【請求項６】
前記複数の酸素カセットは、異なる酸素容量を有するものとして構成され、
前記接続機構には、異なる酸素容量の前記酸素カセットを混在して接続可能であることを特徴とする請求項１から５のいずれか１項に記載の酸素供給装置。
【請求項７】
使用者の呼吸に合わせて、前記吸入具からの酸素の送出および停止を切り換える呼吸同調手段をさらに備えることを特徴とする請求項１から６のいずれか１項に記載の酸素供給装置。
【請求項８】
吸入用の酸素を供給する酸素供給装置に接続される酸素カセットであって、
該酸素カセットに関する情報を不揮発的に記憶する不揮発性メモリと、
前記酸素供給装置に接続されて酸素を流出させる接続部分に、前記不揮発性メモリに記憶された情報を前記酸素供給装置から読み取りおよび書き込み可能とする接続インターフェースを備えることを特徴とする酸素カセット。
【発明の詳細な説明】
【技術分野】
【０００１】
本発明は、吸入用の酸素を供給する酸素供給装置およびそれに接続する酸素カセットに関する。
【背景技術】
【０００２】
従来、呼吸器疾患を有する患者に対し、通常より高い濃度の酸素を吸入させる酸素療法が行われている。
酸素療法は、血液中の酸素濃度を正常な状態に維持することを目的として行われ、継続的に酸素吸入を行う必要がある患者に対しては、自宅で日常生活を送りながら酸素吸入を行う在宅酸素療法が行われる。
【０００３】
在宅酸素療法を行う場合、携帯型の酸素供給装置（携帯型の酸素ボンベや液体酸素供給器等）が用いられることもあり、このような酸素供給装置を使用することで、患者は外出時や運動時に酸素吸入を継続することができる。
ここで、このような携帯型の酸素供給装置に関する技術が、特許文献１〜４に開示されている。
【０００４】
特許文献１に開示された技術は、圧縮酸素を封入した酸素ボンベを用い、その酸素ボンベからの酸素噴出量を電磁弁で調整しながら酸素を供給するものである。
また、特許文献２に開示された技術は、ＰＳＡ（Pressure Swing Adsorption）方式の酸素濃縮器を小型化して移動可能にしたものである。
【特許文献１】特開平６−１５９７１５号公報
【特許文献２】特開２００４−２９２２０８号公報
【発明の開示】
【発明が解決しようとする課題】
【０００５】
しかしながら、特許文献１に記載された技術においては、酸素ボンベの容量によって酸素供給量が制限され、必要とする時に酸素が供給されない事態が生じ得る。一方、長時間の酸素供給を可能にするためには、酸素ボンベを大型化する必要があり、装置サイズおよび重量の観点から、持ち運んで使用するのに適さないものとなる。
また、特許文献２に記載された技術においては、空気中から酸素を濃縮するための電動ポンプ（コンプレッサ）を用いることから、必要な酸素供給量が多くなるほど電動ポンプも大型化し、装置サイズおよび重量の観点から、持ち運んで使用するのに適さないものとなる。
このように、従来の酸素供給装置は、装置サイズおよび重量の観点から、携帯して使用するのに適しているとは言えなかった。
本発明の課題は、酸素供給装置の小型化および軽量化を図ることである。
【課題を解決するための手段】
【０００６】
以上の課題を解決するため、第１の発明は、
吸入用の酸素を供給する酸素供給装置であって、酸素を封入した酸素カセット（例えば、図１の酸素カセット１０ａ〜１０ｄ）が着脱可能に接続され、接続された該酸素カセットから流出する酸素を装置内部に流入させる複数の接続機構（例えば、図１の接続機構２１）と、前記接続機構を介して流入した酸素の供給経路を構成する酸素配管（例えば、図１の酸素配管２０）と、前記酸素配管における酸素の流入経路を切り換える切り換え手段（例えば、図１の開閉弁２３）と、前記酸素配管における酸素の圧力を変化させる圧力変化手段（例えば、図１の調整弁２２ａ〜２２ｄ）と、前記切り換え手段および前記圧力変化手段を制御し、前記酸素配管における酸素の圧力を調整する制御手段（例えば、図１の制御回路４０）と、前記酸素配管を通して供給された酸素を使用者に送出する酸素の吸入具（例えば、図１の吸入具）とを備えることを特徴としている。
【０００７】
このような構成により、複数の酸素カセットを選択して接続機構に接続することができるため、使用者が必要とする時間だけ酸素吸入を行うための最小限の構成を有する酸素供給装置とすることができる。
したがって、従来の携帯型の酸素供給装置に比べ、酸素供給装置の小型化および軽量化を図ることができる。
【０００８】
また、第２の発明は、
前記酸素配管から分岐して設置され、該酸素配管からの酸素の流入および該酸素配管への酸素の流出を調整する補助圧力変化手段（例えば、図１の調整弁２２ｅ，２２ｆ）を有する補助タンク（例えば、図１の補助タンク３０）を備え、前記制御手段は、前記補助圧力変化手段をさらに制御して前記酸素配管における酸素の圧力を調整することを特徴としている。
このような構成により、酸素配管内の酸素の圧力をより高精度に制御することが可能となるため、供給する酸素の濃度をより正確に調整することができる。
【０００９】
また、第３の発明は、
前記酸素カセットには、電力の供給を受けることなく記憶状態が維持される不揮発性メモリ（例えば、図１の不揮発性メモリ１１ａ〜１１ｄ）が備えられ、前記接続機構は、前記酸素カセットと接続されることによって、該不揮発性メモリに対して情報の読み出しあるいは書き込みが可能となる接続インターフェースを有することを特徴としている。
このような構成により、酸素カセットに関する情報を不揮発的に記憶しておくことができるため、酸素カセットの状態を適確に把握することができる。
【００１０】
また、第４の発明は、
情報を表示する表示手段（例えば、図１の制御ユニット５０に備えられた液晶ディスプレイ）をさらに備え、前記酸素カセットの不揮発性メモリには、該酸素カセットに封入されている酸素量が記憶され、前記制御手段は、前記接続機構を介して該酸素量を読み出し、送出する酸素濃度と前記酸素量とに基づいて算出した酸素の供給可能時間を前記表示手段に表示することを特徴としている。
このような構成により、正確な酸素供給可能時間を把握することができ、使用目的に応じた適切な酸素カセットを選択することが可能となる。
【００１１】
また、第５の発明は、
前記制御手段は、使用中の前記酸素カセットが接続を解除される際に、該酸素カセットの酸素残量を前記不揮発性メモリに記憶することを特徴としている。
このような構成により、酸素カセットを使用途中で取り外す場合にも、以後、酸素カセットの状態を適確に把握することができる。
【００１２】
また、第６の発明は、
前記複数の酸素カセットは、異なる酸素容量を有するものとして構成され、前記接続機構には、異なる酸素容量の前記酸素カセットを混在して接続可能であることを特徴としている。
このような構成により、使用目的により適した組み合わせの酸素カセットを選択することが可能となる。
【００１３】
また、第７の発明は、
使用者の呼吸に合わせて、前記吸入具からの酸素の送出および停止を切り換える呼吸同調手段（例えば、図１の制御ユニット５０に備えられた呼吸同調回路）をさらに備えることを特徴としている。
このような構成により、呼気時に送出される酸素が無駄になることを防止できるため、携帯する酸素量を抑制することができ、酸素供給装置をより小型化・軽量化することができる。
【００１４】
また、第８の発明は、
吸入用の酸素を供給する酸素供給装置に接続される酸素カセットであって、該酸素カセットに関する情報を不揮発的に記憶する不揮発性メモリと、前記酸素供給装置に接続されて酸素を流出させる接続部分に、前記不揮発性メモリに記憶された情報を前記酸素供給装置から読み取りおよび書き込み可能とする接続インターフェースを備えることを特徴としている。
これにより、酸素カセットに関する情報を不揮発的に記憶しておくことができるため、酸素カセットの状態を適確に把握することができる。
即ち、本発明によれば、酸素供給装置の小型化および軽量化を図ることができる。
【発明を実施するための最良の形態】
【００１５】
以下、図を参照して本発明に係る酸素供給装置の実施の形態を説明する。
（第１実施形態）
（構成）
まず、構成を説明する。
図１は、本実施形態に係る酸素供給装置１の構成を示す図である。
図１において、酸素供給装置１は、酸素カセット１０ａ〜１０ｄと、酸素配管２０と、補助タンク３０と、制御回路４０と、制御ユニット５０とを備えている。
なお、本実施形態に係る酸素供給装置１は、装置本体１Ａと、装置本体１Ａに着脱可能な酸素カセット１０ａ〜１０ｄとによって構成されており、本実施形態においては、酸素配管２０と、補助タンク３０と、制御回路４０と、制御ユニット５０とが装置本体１Ａを構成している。
【００１６】
酸素カセット１０ａ〜１０ｄは、濃縮酸素あるいは液体酸素が封入された密閉容器であり、酸素配管２０の接続機構２１（後述）と接続するための接続口を有している。この接続口は、接続機構２１と接続されていないときには酸素カセット１０ａ〜１０ｄが密閉状態となり、接続機構２１と接続されると、内部の酸素が接続口を通って酸素配管２０に流出する構造を有している。
【００１７】
また、酸素カセット１０ａ〜１０ｄとして、複数種類の容量のものが用意されており、これら酸素カセット１０ａ〜１０ｄの外面には、設定する酸素濃度に応じた酸素供給可能時間の目安が表されている。そして、酸素供給装置１の使用者は、酸素カセット１０ａ〜１０ｄの外面に表された酸素供給可能時間を参照し、酸素吸入時間に応じた酸素カセット１０ａ〜１０ｄの１つ、あるいは、複数を組み合わせて接続することができる。
【００１８】
さらに、酸素カセット１０ａ〜１０ｄには、強誘電体メモリあるいはフラッシュメモリ等によって構成される不揮発性メモリ１１ａ〜１１ｄが備えられており、この不揮発性メモリ１１ａ〜１１ｄには、酸素カセット１０ａ〜１０ｄそれぞれのＩＤ、酸素容量および酸素残量が記録されている。なお、酸素残量については、酸素カセット１０ａ〜１０ｄが酸素供給装置１で使用され、酸素が残された状態で接続が解除される際に制御回路４０によって書き込まれる。即ち、制御回路４０が、それまでに使用された酸素の量を当初の容量から差し引くことで酸素残量を算出し、算出した酸素残量を不揮発性メモリに書き込む。
【００１９】
酸素配管２０は、酸素カセット１０ａ〜１０ｄによって供給された酸素を通気し、制御回路４０および制御ユニット５０を通して使用者に送出する管状の部材である。ここで、酸素配管２０の使用者側の先端部分は、鼻吸入用のカニューレや、鼻と口を覆うマスク型の吸入具等のうち、使用者が選択した吸入具が取り付けられている。
また、酸素配管２０は、酸素を通気する主配管から、酸素カセット１０ａ〜１０ｄを接続するための接続用配管が複数分岐した構造を有し、接続用配管の先端には、酸素カセット１０ａ〜１０ｄを着脱する接続インターフェースとなる接続機構２１がそれぞれ備えられている。
【００２０】
図２は、接続機構２１と酸素カセット１０ａ〜１０ｄとの接続インターフェースの一例を示す図である。
接続機構２１は、酸素カセット１０ａ〜１０ｄから突出した酸素送出管を受け入れる受け口２１ａと、酸素カセット１０ａ〜１０ｄの不揮発性メモリ１１ａ〜１１ｄに電力を供給する電極２１ｂと、酸素カセット１０ａ〜１０ｄの不揮発性メモリ１１ａ〜１１ｄと情報の入出力を行うためのデータ用電極２１ｃとを有している。電極２１ｂおよびデータ用電極２１ｃは、接続機構２１から突出した棒状のオス側電極として形成されている。
【００２１】
また、酸素カセット１０ａ〜１０ｄの接続口には、電極２１ｂおよびデータ用電極２１ｃに対応して、これらを受け入れる受け側電極がメス側として形成されている。
図２において、酸素カセット１０ａ〜１０ｄの酸素送出管が接続機構の受け口２１ａに挿入され、電極２１ｂおよびデータ用電極２１ｃがメス側の電極にそれぞれ挿入されると、酸素カセット１０ａ〜１０ｄから酸素配管２０に酸素が流入すると共に、制御回路４０から不揮発性メモリ１１ａ〜１１ｄへのアクセスが可能な状態となる。
【００２２】
なお、図２に示す接続インターフェースでは、電極２１ｂとデータ用電極２１ｃとが誤って逆に接続されることを防止するため、受け口２１ａの位置を挟んで、電極２１ｂおよびデータ用電極２１ｃが正対しない位置に設置されている。
図１に戻り、接続用配管の途中には、その接続用配管に接続された酸素カセット１０ａ〜１０ｄから供給される酸素の圧力を調整する調整弁２２ａ〜２２ｄが設置されており、この調整弁２２ａ〜２２ｄは、制御回路４０によって制御されている。
【００２３】
また、主配管は、複数の接続用配管の分岐点それぞれの間に開閉弁２３を備えており、制御回路４０によって、これら開閉弁２３の開閉が制御される。
また、主配管の制御回路４０側端部位置には、圧力弁２４が設置されており、酸素配管２０を通る酸素の圧力が圧力弁２４において検出される。圧力弁２４の検出信号は、制御回路４０に出力される。
【００２４】
さらに、主配管において、酸素カセット１０ａへの接続用配管の分岐点と圧力弁２４との間からは、後述する補助タンク３０に酸素を流入させるための流入用配管および補助タンク３０から酸素を流入させるための流入用配管が分岐している。これら流入用配管および流出用配管には調整弁２２ｅ，２２ｆがそれぞれ設置されており、これら調整弁２２ｅ，２２ｆは、制御回路４０によって制御されている。
【００２５】
補助タンク３０は、酸素カセット１０ａ〜１０ｄによって供給される酸素の圧力が変動した際に、その変動を解消するよう酸素の蓄積および補給を行うためのタンクである。
また、補助タンク３０の流入用配管に設置された開閉弁および流出用配管に設置された開閉弁は制御回路４０によって開閉され、酸素カセット１０ａ〜１０ｄから供給される酸素の圧力が高い場合には、流入用配管に設置された開閉弁が開かれ、酸素カセット１０ａ〜１０ｄから供給される酸素の圧力が低い場合には、流出用配管に設置された開閉弁が開かれる。なお、補助タンク３０には、酸素カセット１０ａ〜１０ｄが接続された当初に、一定圧力の酸素が蓄えられる。
【００２６】
制御回路４０は、酸素供給装置１全体を制御するものである。即ち、制御回路４０は、後述する酸素供給制御処理を実行することにより、酸素配管２０を通して供給される酸素の圧力（使用者に吸入される酸素濃度）を監視したり、その結果に応じて各種弁を制御したりする。
具体的には、制御回路４０は、圧力弁２４によって検出された酸素の圧力が設定値より高い場合、酸素を供給している酸素カセットが接続された接続用配管の調整弁２２ａを絞り、酸素供給量を抑制する。反対に、圧力弁２４によって検出された酸素の圧力が設定値より低い場合、制御回路４０は、酸素を供給している酸素カセットが接続された接続用配管の調整弁２２ａを開き、酸素供給量を増大させる。
【００２７】
また、制御回路４０には、各接続機構２１を介して酸素カセット１０ａ〜１０ｄの接続情報（接続の有無および不揮発性メモリ１１ａ〜１１ｄに記憶された情報）が入力されており、酸素供給装置１に接続された酸素カセットの状態が把握されている。
また、制御回路４０は、酸素カセットの切り換え時等、酸素の圧力が大きく変動するときには、補助タンク３０の開閉弁を開閉することにより、補助タンク３０に酸素を流入させたり、補助タンク３０から酸素を流出させたりして、酸素の圧力を設定値に保持する。
【００２８】
さらに、制御回路４０は、酸素カセット１０ａ〜１０ｄのうち、使用する酸素カセットを優先順位に従って判定し、その酸素カセットから酸素が供給されるよう主配管における開閉弁それぞれの開閉を制御する。
ここで、使用される酸素カセット１０ａ〜１０ｄの優先順位は、酸素容量の大きい順、制御回路４０に近い順（下流側から上流側の順）、これらの逆の順、使用者の指定した順等に従って決定することができる。
【００２９】
また、制御回路４０は、接続されているいずれの酸素カセットからも酸素が供給できない状態になった場合、制御ユニット５０の液晶ディスプレイに酸素供給ができない旨のアラームメッセージを表示する。なお、このとき、制御回路４０が不図示のスピーカーからアラーム音や音声を発することによって、使用者に注意を喚起することとしても良い。
制御ユニット５０は、酸素供給装置１に電力を供給するバッテリと、使用者の呼吸に合わせて酸素を供給する呼吸同調回路と、酸素供給装置１に対する各種設定を行うための入力部と、各種情報の表示を行う液晶ディスプレイとを備えている。
【００３０】
呼吸同調回路は、使用者の呼吸を検出するセンサを有し、その検出結果に応じて、吸気時には開閉弁（不図示）を開いて酸素を供給し、呼気時には開閉弁を閉じて酸素の供給を停止する。
入力部は、使用者が酸素供給装置１に対する指示入力を行うための複数のボタンを備え、液晶ディスプレイに表示された情報を使用者が選択入力することにより、使用する酸素カセットの優先順位や、供給する酸素圧力（使用者によって吸引される酸素濃度）等の設定が行われる。
液晶ディスプレイは、制御回路４０からの指示に従って、供給可能な酸素残量（容量や時間）、酸素供給が行えない旨のメッセージ、および、使用者が各種設定を行うための情報等を表示する。
【００３１】
次に、動作を説明する。
図３は、制御回路４０が実行する酸素供給制御処理を示すフローチャートである。
図３において、酸素供給制御処理は、酸素供給装置１の電源投入と共に開始される。
なお、酸素供給制御処理の開始にあたり、酸素供給装置１には、使用者によって、酸素吸入時間に応じた酸素供給可能時間を有する酸素カセット１０ａ〜１０ｄが１つまたは複数接続されている。また、酸素供給装置１に対し、使用者に応じた酸素濃度が設定されている。
【００３２】
酸素供給制御処理が開始されると、制御回路４０は、接続機構２１によって入力される接続情報を取得する（ステップＳ１）。
次に、制御回路４０は、設定されている酸素濃度および接続されている酸素カセット１０ａ〜１０ｄの容量を基に、接続されている酸素カセット１０ａ〜１０ｄによって酸素を供給可能な時間を算出する（ステップＳ２）。
【００３３】
また、制御回路４０は、設定されている優先順位の決定方法に従って酸素カセット１０ａ〜１０ｄの優先順位を決定する（ステップＳ３）。
そして、制御回路４０は、使用を開始する酸素カセット１０ａ〜１０ｄ（調整弁２２ａ〜２２ｄを開こうとしている接続用配管に接続された酸素カセット１０ａ〜１０ｄ）による酸素供給可能時間と、接続されている酸素カセット１０ａ〜１０ｄ全体による酸素供給可能時間とを表示する（ステップＳ４）。
【００３４】
続いて、制御回路４０は、ステップＳ３において最も高い優先順位とされた酸素カセットからの酸素供給経路にある開閉弁２３および調整弁２２ａ〜２２ｄを開く（ステップＳ５）。
次いで、制御回路４０は、圧力弁２４によって検出された酸素の圧力が設定された範囲内にあるか否かの判定を行い（ステップＳ６）、圧力弁２４によって検出された酸素の圧力が設定された範囲内にあると判定した場合、ステップＳ６の処理を繰り返す。
【００３５】
一方、ステップＳ６において、圧力弁２４によって検出された酸素の圧力が設定された範囲内にないと判定した場合、制御部４０は、その酸素カセット１０ａ〜１０ｄが接続された接続用配管に設置された調整弁２２ａ〜２２ｄの開放量を調整する（ステップＳ７）。
そして、制御回路４０は、調整弁２２ａ〜２２ｄの開放量を調整した結果、圧力弁２４によって検出された酸素の圧力が設定された範囲内になったか否かの判定を行い（ステップＳ８）、圧力弁２４によって検出された酸素の圧力が設定された範囲内になった場合、ステップＳ６の処理に移行する。
【００３６】
一方、ステップＳ８において、圧力弁２４によって検出された酸素の圧力が設定された範囲内になっていないと判定した場合、制御回路４０は、次の優先順位の酸素カセットが接続されているか否かの判定を行う（ステップＳ９）。
ステップＳ９において、次の優先順位の酸素カセットが接続されていると判定した場合、制御回路４０は、酸素カセットの切り換えを行う（ステップＳ１０）。このとき、制御回路４０は、使用していた酸素カセットが接続されている接続用配管の調整弁２２ａ〜２２ｄを閉じ、次に使用する酸素カセットが接続されている接続用配管の調整弁２２ａ〜２２ｄを開く。また、制御回路４０は、次に使用する酸素カセットの酸素供給経路にある開閉弁２３を開く。さらに、制御回路４０は、酸素カセットの切り換え時に酸素の圧力が大きく変動することを防止するため、補助タンク３０の流入用配管および流出用配管に設置された調整弁２２ｅ，２２ｆを開閉し、一定の圧力で酸素が供給されるよう制御する。
【００３７】
なお、ステップＳ１０の後、制御回路４０は、ステップＳ６の処理に移行する。
ステップＳ９において、次の優先順位の酸素カセットが接続されていないと判定した場合、制御回路４０は、補助タンク３０の流出用配管に設置された調整弁２２ｆを開き、供給する酸素の圧力を調整する（ステップＳ１１）。
次に、制御回路４０は、圧力弁２４によって検出された酸素の圧力が設定された範囲内にあるか否かの判定を行い（ステップＳ１２）、圧力弁２４によって検出された酸素の圧力が設定された範囲内にあると判定した場合、ステップＳ１１の処理に移行する。
【００３８】
一方、圧力弁２４によって検出された酸素の圧力が設定された範囲内にないと判定した場合、制御回路４０は、供給する酸素の圧力をこれ以上調整できない状態であることから、制御ユニット５０の液晶ディスプレイに、酸素供給を適切にできない旨のアラーム表示を行い（ステップＳ１３）、酸素供給制御処理を終了する。
以上のように、本実施形態に係る酸素供給装置１は、酸素カセット１０ａ〜１０ｄを着脱可能に接続する接続機構２１を有し、複数の酸素カセット１０ａ〜１０ｄを接続機構２１に接続することができる。
【００３９】
そのため、酸素供給装置１を、使用者が必要とする時間だけ酸素吸入を行うための最小限の構成とすることができる。
したがって、従来の携帯型の酸素供給装置に比べ、酸素供給装置の小型化および軽量化を図ることができる。
また、酸素供給装置１において、酸素カセット１０ａ〜１０ｄは不揮発性メモリ１１ａ〜１１ｄを備え、不揮発性メモリ１１ａ〜１１ｄに、その酸素カセットに関する情報（ＩＤ、酸素容量、酸素残量等）が記憶されている。
【００４０】
したがって、酸素カセット１０ａ〜１０ｄの誤接続が判定可能になる。
また、使用途中で酸素供給装置１から外された場合にも、再度接続された時点で、その酸素カセット１０ａ〜１０ｄによって酸素の供給が可能な時間を算出することができる。
また、酸素供給装置１は、補助タンク３０を備えているため、補助タンク３０に酸素を流入させたり、反対に酸素を流出させたりすることで、調整弁２２ａ〜２２ｄのみでは酸素の圧力を調整し切れない場合に、さらなる調整を行うことが可能となる。また、酸素カセット１０ａ〜１０ｄの切り換え時に、酸素圧力の大きな変動が生じることを防止することができる。
【００４１】
（応用例１）
第１実施形態において、酸素カセット１０ａ〜１０ｄを１つずつ使用していき、最後の酸素カセットから供給される酸素の圧力が設定された範囲内にない場合、補助タンク３０から酸素を供給することとしたが（酸素供給制御処理のステップＳ１１）、１つの酸素カセットでは供給される酸素の圧力が設定された範囲に至らない場合、複数の酸素カセットの調整弁２２ａ〜２２ｄを開放し、酸素供給経路にある開閉弁２３も開くことにより、供給される酸素の圧力上昇を図ることとしても良い。
これにより、酸素カセット１０ａ〜１０ｄに残されている酸素を有効に使用することができる。
【００４２】
（応用例２）
第１実施形態において、酸素供給装置１は、装置本体１Ａの接続機構２１に酸素カセット１０ａ〜１０ｄを着脱自在に接続する構成を有することについて説明したが、酸素以外のカセットが誤接続されることを防止するため、酸素カセット１０ａ〜１０ｄおよび接続機構２１に判別機構を備えることが可能である。
【００４３】
例えば、酸素カセット１０ａ〜１０ｄの接続口と接続機構２１との接続部分が、切り欠き等による嵌合形状といった物理的に判別可能な構造を有する構成としたり、酸素カセット１０ａ〜１０ｄがＲＦ（Radio Frequency）タグを備え、接続機構２１がその読み取り装置を備える構成としたりすることができる。
これにより、酸素カセット以外のカセットが誤接続されることを防ぐことができ、酸素供給装置１の安全性を向上させることができる。
【図面の簡単な説明】
【００４４】
【図１】第１実施形態に係る酸素供給装置１の構成を示す図である。
【図２】接続機構２１と酸素カセット１０ａ〜１０ｄとの接続インターフェースの一例を示す図である。
【図３】制御回路４０が実行する酸素供給制御処理を示すフローチャートである。
【符号の説明】
【００４５】
１  酸素供給装置、１０ａ〜１０ｄ  酸素カセット、１１ａ〜１１ｄ  不揮発性メモリ、２０  酸素配管、２１  接続機構、２１ａ  受け口、２１ｂ  電極、２１ｃ  データ用電極、２２ａ〜２２ｆ  調整弁、２３  開閉弁、２４  圧力弁、３０  補助タンク、４０  制御回路、５０  制御ユニット
【図１】
2009106438.tif 000003
【図２】
2009106438.tif 000004
【図３】
2009106438.tif 000005